(57)【要約】      （修正有）【課題】二つの電磁構造を含むラウドスピーカドライバを提供する。【解決手段】ラウドスピーカドライバ１０は、振動板２０と、接続チューブ２４と、第１及び第２ボイスコイル２８、３０と、第１及び第２磁石アセンブリ１６、１８とを備える。接続チューブ２４は、第１エンドセクションと、第２エンドセクションと、中間セクションとを有する。第１ボイスコイル２８は、第１エンドセクションの少なくとも一部に接続されてこれを囲繞している。第２ボイスコイル３０は、第２エンドセクションの少なくとも一部に接続されてこれを囲繞している。第１磁石アセンブリ１６は、第１ボイスコイル２８を第１磁場内に懸架するように構成されているとともに、第２磁石アセンブリ１８は、第２ボイスコイル３０を第２磁場内に懸架するように構成されている。接続チューブ２４は、振動板２０と交差しているとともに、接続チューブ２４の中間セクションは振動板に接続している。【選択図】図２
2014045483.tif 000002
【特許請求の範囲】
【請求項１】
アコースティカル振動板と、
接続チューブであって、前記接続チューブの第１端に近接した第１セクションと、前記接続チューブの第２端に近接した第２セクションと、前記第１セクションと前記第２セクションとの間の中間セクションとを有する前記接続チューブと、
前記接続チューブの前記第１セクションの少なくとも一部に接続されてこれを囲繞する第１ボイスコイルであって、第１オーディオリード線と第２オーディオリード線とを有する前記第１ボイスコイルと、
前記接続チューブの前記第２セクションの少なくとも一部に接続されてこれを囲繞する第２ボイスコイルであって、第１オーディオリード線と第２オーディオリード線とを有する前記第２ボイスコイルと、
前記第１ボイスコイルを第１磁場内に懸架するように構成された第１磁石アセンブリと、
前記第２ボイスコイルを第２磁場内に懸架するように構成された第２磁石アセンブリと
を備え、
前記接続チューブは、前記アコースティカル振動板と交差するとともに、前記接続チューブの前記中間セクションは、前記アコースティカル振動板に接続されているラウドスピーカドライバ。
【請求項２】
請求項１記載のラウドスピーカドライバにおいて、前記第１磁石アセンブリは、第１永久磁石を具備するとともに、前記第２磁石アセンブリは、第２永久磁石を具備するラウドスピーカドライバ。
【請求項３】
請求項２記載のラウドスピーカドライバにおいて、前記第１永久磁石は、前記第１ボイスコイルの周囲に位置決めされたリング磁石であり、前記第２永久磁石は、前記第２ボイスコイルの周囲に位置決めされたリング磁石であるラウドスピーカドライバ。
【請求項４】
請求項１記載のラウドスピーカドライバにおいて、前記第１磁石アセンブリと前記第２磁石アセンブリは、前記接続チューブを実質的に軸方向に沿って動かすことができるように構成されたアラインメント構造を具備するラウドスピーカドライバ。
【請求項５】
請求項１記載のラウドスピーカドライバにおいて、前記第１ボイスコイルと前記第２ボイスコイルは、同時に電気信号を受け、それによって前記第１ボイスコイルと前記第２ボイスコイルは、前記接続チューブに作用する協働的な力を生成し、もって、前記接続チューブが実質的に軸方向に沿って前後するように構成されているラウドスピーカドライバ。
【請求項６】
請求項１記載のラウドスピーカドライバにおいて、前記アコースティカル振動板は、静止時に実質的に平らであるラウドスピーカドライバ。
【請求項７】
請求項１記載のラウドスピーカドライバにおいて、前記アコースティカル振動板は、円形形状を有するラウドスピーカドライバ。
【請求項８】
請求項１記載のラウドスピーカドライバにおいて、フレームをさらに備え、前記フレームは、前記第１磁石アセンブリと前記第２磁石アセンブリとを支持し、且つ前記第１磁石アセンブリと前記第２磁石アセンブリとの間の予め設定された距離を維持するように構成されているラウドスピーカドライバ。
【請求項９】
請求項８記載のラウドスピーカドライバにおいて、前記アコースティカル振動板のエッジを前記フレームに接続するように構成されたリングサスペンションをさらに備えているラウドスピーカドライバ。
【請求項１０】
請求項８記載のラウドスピーカドライバにおいて、前記フレームは、前記アコースティカル振動板を周囲に露出する少なくとも１つの孔を備えているラウドスピーカドライバ。
【請求項１１】
請求項１記載のラウドスピーカドライバにおいて、前記第１ボイスコイルの第１オーディオリード線は、前記第２ボイスコイルの前記第１オーディオリード線に接合されているとともに、前記第１ボイスコイルの前記第２オーディオリード線は、前記第２ボイスコイルの前記第２オーディオリード線に接合されているラウドスピーカドライバ。
【請求項１２】
請求項１１記載のラウドスピーカドライバにおいて、前記第１磁場の極は、実質的に前記第２磁場の極と揃っているラウドスピーカドライバ。
【請求項１３】
請求項１２記載のラウドスピーカドライバにおいて、前記第１ボイスコイルと前記第２ボイスコイルは、前記接続チューブの周りに同一方向に巻回されているラウドスピーカドライバ。
【請求項１４】
請求項１１記載のラウドスピーカドライバにおいて、前記第１磁場の極は、実質的に前記第２磁場の極と逆向きにされているラウドスピーカドライバ。
【請求項１５】
請求項１４記載のラウドスピーカドライバにおいて、前記第１ボイスコイルと前記第２ボイスコイルは、前記接続チューブの周りに反対方向に巻回されているラウドスピーカドライバ。
【請求項１６】
第１アコースティカル振動板を支持するように構成された第１円錐台フレーム部、
前記第１アコースティカル振動板に接合され、第１正オーディオリード線と第２負オーディオリード線とを有する第１ボイスコイル、及び
前記第１ボイスコイルを第１磁場内に懸架するように構成され、前記第１円錐台フレーム部に接合された第１磁石アセンブリ
を含む第１スピーカと、
第２アコースティカル振動板を支持するように構成された第２円錐台フレーム部、
前記第２アコースティカル振動板に接合され、第１正オーディオリード線と第２負オーディオリード線とを有する第２ボイスコイル、及び
前記第２ボイスコイルを第２磁場内に懸架するように構成され、前記第２円錐台フレーム部に接合された第２磁石アセンブリ
を含む第２スピーカと、
各前記第１及び第２ボイスコイルに電気的に接続され、前記第１及び第２アコースティカル振動板が一斉に振動するように前記第１及び第２ボイスコイルが反対側の極に配線されているオーディオ信号ドライバと
を備えているラウドスピーカドライバアセンブリ。
【請求項１７】
請求項１６記載のスピーカアセンブリにおいて、前記第１及び第２スピーカは、前記第１及び第２円錐台フレーム部の広角端がそれぞれ互いに対向しているスピーカアセンブリ。
【請求項１８】
請求項１６記載のスピーカアセンブリにおいて、前記第１及び第２スピーカは、前記第１及び第２円錐台フレーム部の広角端がそれぞれ互いに対向し、その状態で各前記第１及び第２アコースティカル振動板の少なくとも一部が互いに接続しているスピーカアセンブリ。
【発明の詳細な説明】
【技術分野】
【０００１】
本開示は、一般にラウドスピーカドライバに関し、より詳細には、二つの電磁構造を含むラウドスピーカドライバに関する。
【背景技術】
【０００２】
ラウドスピーカは、聴衆にオーディオ出力を提供するために永年用いられてきた。種々の特性の音を表す電気信号は、ラウドスピーカによって、振動板の振動に変換される。振動板のこのような動作は、そばにいる者によって聴き取ることのできる音波を生成する。典型的には、ラウドスピーカの振動板は、コーン型に形成されており、音波は、コーンの開口端が指向している一般的な方向に向かってコーンから発せられる。
【０００３】
ラウドスピーカは、典型的にはボイスコイルを使用している。ボイスコイルは、紙、アルミニウム、又は樹脂等でできた中空のシリンダ又はチューブの周りに巻回されており、永久磁石の磁場内に位置決めされている。また、中空のシリンダ又はチューブは、振動板に接続されている。電流がコイルに流れたとき、中空のシリンダ又はチューブの周りに磁場が生成される。中空のシリンダ又はチューブは、永久磁石の磁場によって、電流の方向に基づき、引きつけられたり、反発されたりする。電流の方向が切り替わると、引きつけ力又は反発力も切り替わる。このようにして、中空のシリンダ又はチューブは、前後に移動し、振動板を前後に動かす。この振動がラウドスピーカによって生成される音を生成するのである。
【発明の概要】
【０００４】
ラウドスピーカドライバが本開示に記載される。ある実施形態によれば、ラウドスピーカドライバは、アコースティカル振動板と、中空のシリンダ又は接続チューブと、第１及び第２ボイスコイルと、第１及び第２磁石アセンブリとを備えている。接続チューブは、接続チューブの第１端に近い第１セクションと、接続チューブの第２端に近い第２セクションと、第１セクションと第２セクションの間の中間セクションとを有する。第１ボイスコイルは、接続チューブの第１セクションの少なくとも一部に接続されてこれを囲繞している。第１ボイスコイルは、第１オーディオリード線と第２オーディオリード線とを有する。第２ボイスコイルは、接続チューブの第２セクションの少なくとも一部に接続されてこれを囲繞している。第２ボイスコイルは、第１オーディオリード線と第２オーディオリード線とを有する。第１磁石アセンブリは、第１ボイスコイルを第１磁場内に懸架するように構成されており、第２磁石アセンブリは、第２ボイスコイルを第２磁場内に懸架するように構成されている。接続チューブは、アコースティカル振動板と交差し、接続チューブの中間セクションは、アコースティカル振動板に接続されている。
【０００５】
本開示の別の側面によれば、ラウドスピーカアセンブリが設けられる。このスピーカアセンブリは、第１スピーカを備えている。第１スピーカは、第１アコースティカル振動板を支持する第１円錐台フレーム部と、前記第１アコースティカル振動板に接合される第１ボイスコイルであって、第１の正リード線と第２の負リード線とを有する前記第１ボイスコイルと、前記第１ボイスコイルを第１磁場内に懸架するように構成された第１磁石アセンブリであって、前記第１円錐台フレーム部に接合された前記第１磁石アセンブリとを備えている。ラウドスピーカアセンブリは、さらに、第２スピーカを備えている。第２スピーカは、第２アコースティカル振動板を支持する第２円錐台フレーム部と、前記第２アコースティカル振動板に接合された第２ボイスコイルであって、第１の正リード線と第２の負リード線とを有する前記第２ボイスコイルと、前記第２ボイスコイルを第２磁場内に懸架するように構成された第２磁石アセンブリであって、前記第２円錐台フレーム部に接合された前記第２磁石アセンブリとを備えている。第１及び第２ボイスコイルのそれぞれに対しオーディオ信号ドライバが電気的に接合されており、第１及び第２ボイスコイルは、第１及び第２アコースティカル振動板が一斉に振動するように反対側の極に配線されている。ある側面において、第１及び第２スピーカは、第１及び第２円錐台フレーム部の広角端をそれぞれ互いに対向させて配置されている。
【０００６】
本開示の上述した、並びに別の側面、特徴、利点は、添付の図面を参照したときに、以下の詳細な説明に照らして、より明確になるであろう。
【図面の簡単な説明】
【０００７】
【図１】本開示の種々の実施態様に基づくラウドスピーカドライバの側面図である。
【０００８】
【図２】本開示の種々の実施態様に基づく図１のラウドスピーカドライバの破断図である。
【０００９】
理解を容易にするため、各図において、共通する同等の要素を示すことが可能な場合には、同一の参照番号が用いられる。作図の目的のため、図面の線図は、単純化されており、必ずしも寸法通りではない。添付の図面は、本開示の実施形態を例示的に図示するものであり、それ自体を、他の同等に効果的な実施形態を許容し得る開示範囲に限定するものと考えるべきではない。これに対応して、ある実施形態の特徴又はステップが他の実施形態に有益に採用し得ることは、さらなる言及がなくても配慮されてきたのである。
【発明を実施するための形態】
【００１０】
本記載は、本開示の原理を指し示すものである。従って、明示的な開示や図示がなくても、当業者が、本開示並びにその精神及び範囲内に含まれる原理を実施した種々の変形を考案することが可能であろうことは、玩味されるであろう。
【００１１】
ここに記載された全ての例示や条件的な言葉は、技術を進展するために本件発明者によって寄与された本開示の原理や概念を理解する上で読者を支援するための教育学的な目的を意図するものであり、そのように詳細に記述された例や条件に限定されることなく解釈されるべきである。
【００１２】
さらに、本開示の原理、側面、及び実施形態を記載している全ての説明は、これらの特定の例示と同様に、構造上及び機能上、均等なものを含むことが意図されている。加えて、そのような均等物は、現在知られている均等物と、これと同様に将来開発される均等物の双方、すなわち、構造如何に拘わらず、同じ機能を奏するあらゆる要素を含むことが意図されている。
【００１３】
図１は、ラウドスピーカドライバ１０の一実施形態の側面図である。本開示の種々の実施態様によれば、ラウドスピーカドライバ１０は、孔１４又は開口を有するフレーム１２を具備している。フレーム１２は、ラウドスピーカドライバ１０の内部構成品、特に音を生成する構成品を囲繞し、保護するので、孔１４は、種々の方向に音波が逃れることを許容する。この場合において、本開示に記載されたラウドスピーカドライバ１０は、全方向スピーカとすることもできる。図示のように、フレーム１２は、例えば、円錐台部のような、二つの対称セクション１３、１５を具備していてもよい。これら二つのセクション１３、１５は、図示のように、バリア２１に沿って、それぞれの広角端１７、１９を互いに臨ませて接合させるように配置されていてもよい。他の実施形態では、フレーム１２は、他のあらゆる好適な形状を含んでいてもよい。また、フレーム１２は、寸法上の制限、及び／又は望まれる周波数特性に基づいて、好適なサイズに構成される。ラウドスピーカドライバ１０は、また、第１磁石アセンブリ１６と第２磁石アセンブリ１８とを含む。各磁石アセンブリ１６及び１８は、磁場を生成するための永久磁石を少なくとも一つ含んでいてもよい。第１及び第２磁石アセンブリ１６及び１８によって生成される磁場は、そのＮ極にＳ極が向かう（引き合う）ように配置されていてもよく、或いは、別の実施形態では、磁場は、そのＮ極とＳ極とが反対向きになる（反発し合う）ように配置されていてもよい。
【００１４】
図２は、図１のラウドスピーカドライバ１０の破断図である。本開示の種々の実施態様によれば、ラウドスピーカドライバ１０は、さらに、振動板２０又は他の形式の膜を具備している。振動板２０は、あらゆる好適な材質を具備していることに着目すべきである。振動板２０は、図示のように、平らで実質的に縦置きにしてもよい。振動板２０は、サスペンション２２によって、フレーム１２に接続されていてもよい。いくつかの実施形態において、サスペンション２２は、省略してもよく、その代わり振動板２０は、直接フレーム１２に接続されていてもよい。サスペンション２２は、種々の実施形態に存在するとき、振動板２０の外縁を囲繞するリングサスペンションであってもよい。サスペンション２２は、振動板２０を適切に保持し、音波を生成する目的のため、振動板２０が振動することを許容する。従来のコーン形状の膜の代わりに、実質的に平らな振動板２０の固有の構成のため、サスペンション２２は、「スパイダ」サスペンション要素のような付加的なサスペンション機構を必要とすることなく、充分に振動板２０を支持し得ることに、着目すべきである。
【００１５】
ラウドスピーカドライバ１０は、また、接続チューブ２４を備えている。接続チューブ２４は、第１磁石アセンブリ１６から第２磁石アセンブリ１８へ延びている。接続チューブ２４は、紙、アルミニウム、樹脂等のような材質で作られていてもよい。いくつかの実施形態では、接続チューブ２４は、中空の端部を含んでいてもよい。このようにして、接続チューブ２４は、各磁石アセンブリ１６、１８からそれぞれ突出するポスト２５、２７によって適切に保持される。接続チューブ２４は、ポスト２５、２７に沿って摺動するように構成されていてもよい。ポストの側部と接続チューブ２４の内側には、中空端にエアポケットが形成されるのを防止するスリットが形成されていてもよい。
【００１６】
接続チューブ２４が、例えば、接続部材、中実のシリンダ部材、ロッド等、他の形状とされてもよいことが玩味されるべきである。
【００１７】
接続チューブ２４は、振動板２０の孔に挿通されている。いくつかの実施形態において、接続チューブ２４の半分が振動板２０の一方の側に位置決めされ、他の半分が他方の側に位置決めされていてもよい。また、接続チューブ２４は、その軸が振動板２０の平面に対して直角になるように構成されていてもよい。加えて、接続チューブ２４は、振動板２０の中心を挿通又は交差していてもよい。接続チューブ２４は、また、振動板２０に対し、交差しているエリアで接合されるように構成されていてもよく、あらゆる好適な種類の接着剤２６によって、交差しているエリアが接着されていてもよい。いくつかの実施形態によれば、接着剤２６は、接続チューブ２４の外側の周囲にリングを形成し得る糊粒、又は他の好適な接着剤であってもよい。
【００１８】
加えて、ラウドスピーカドライバ１０は、第１ボイスコイル２８と第２ボイスコイル３０とを具備している。第１及び第２ボイスコイル２８及び３０は、芯線を被覆する被覆材を備えた電線を具備している。第１ボイスコイル２８は、接続チューブ２４の第１端に巻回され、第２ボイスコイル３０は、接続チューブ２４の第２端に巻回されている。ボイスコイル２８及び３０は、接続チューブ２４に巻回されているだけではなく、磁力によるボイスコイル２８及び３０の移動により接続チューブ２４が逐次動くように、これらは接続チューブ２４に接続されてもいる。
【００１９】
図示のように、ボイスコイル２８及び３０は、同じ方向に巻回されていてもよい。しかしながら、他の実施形態においては、ボイスコイル２８及び３０は、互いに逆向きに巻回されていてもよい。各ボイスコイル２８及び３０の一端は、正（「＋」）のリード線として示されている第１オーディオリード線３２に接合されている。各ボイスコイル２８及び３０の他端は、負（「−」）のリード線として示されている第２オーディオリード線３４に接合されている。第２オーディオリード線３４は、正負のリード線は、黒や赤といったカラーの電線とされていてもよい。図示のように、一方のボイスコイルからのオーディオリード線は、他方のボイスコイルからの特定のオーディオリード線に接続されている。しかしながら、いくつかの実施形態によれば、一方のボイスコイルからのオーディオリード線は、他方のボイスコイルからの別のオーディオリード線に接続されていてもよい。個別のデザインは、第１及び第２磁石アセンブリ１６及び１８の永久磁石によって生成される二つの磁場の極（すなわち、Ｎ極及びＳ極）の指向性に主として依存する。
【００２０】
磁石アセンブリ１６及び１８は、それぞれ接続チューブ２４の終端に対して、一般的な方向に永久磁場を生成するように構成されている、１又は２以上の永久磁石を具備している。例えば、いくつかの実施形態によれば、永久磁石は、ボイスコイル２８及び３０を囲繞するリング磁石であってもよい。他の実施形態では、永久磁石は、別の形状を含んでいてもよく、接続チューブ２４の軸方向に沿って位置決めされていてもよい。これらの或いは別の構成は、ボイスコイル２８及び３０の中心点に関し、一般的な方向に永久磁場を生成するために用いてもよい。
【００２１】
いくつかの実施形態によれば、ラウドスピーカドライバ１０は、図２に示すように、アコースティカル振動板２０と接続チューブ２４とを単に具備していてもよい。接続チューブ２４は、接続チューブ２４の第１端に近接した第１セクションと、接続チューブ２４の第２端に近接した第２セクションと、第１セクションと第２セクションとの間にある中間セクションとを有していてもよい。ラウドスピーカドライバ１０は、また、第１ボイスコイル２８を含んでいる。この第１ボイスコイル２８は、接続チューブ２４の第１セクションの少なくとも一部に接続されてこれを囲繞している。第１ボイスコイル２８は、第１オーディオリード線と第２オーディオリード線とを有する。ラウドスピーカドライバ１０は、また、第２ボイスコイル３０を含んでいる。この第２ボイスコイル３０は、接続チューブ２４の第２セクションの少なくとも一部に接続されてこれを囲繞している。第２ボイスコイル３０は、第１オーディオリード線と第２オーディオリード線とを有する。ラウドスピーカドライバ１０は、また、第１ボイスコイル２８を第１磁場内に懸架するように構成された第１磁石アセンブリ１６と、第２ボイスコイル３０を第２磁場内に懸架するように構成された第２磁石アセンブリ１８とを含む。接続チューブ２４は、アコースティカル振動板２０と交差し、接続チューブ２４の中間セクションは、アコースティカル振動板２０に接続されている。
【００２２】
付加的な実施形態によれば、上述したラウドスピーカドライバ１０は、さらに、第１磁石アセンブリ１６が第１永久磁石を具備し、第２磁石アセンブリ１８が第２永久磁石を具備するように構成されていてもよい。例えば、第１永久磁石は、第１ボイスコイル２８の周囲に位置決めされたリング磁石であってもよく、第２永久磁石は、第２ボイスコイル３０の周囲に位置決めされたリング磁石であってもよい。第１磁石アセンブリ１６と第２磁石アセンブリ１８は、接続チューブ２４を実質的に軸方向に移動可能に構成されたアラインメント構造を具備していてもよい。例えば、軸方向は、接続チューブ２４の軸方向であると規定されていてもよい。ラウドスピーカドライバ１０は、さらに、第１ボイスコイル２８及び第２ボイスコイル３０が同時に電気信号を受けることによって、これら第１ボイスコイル２８と第２ボイスコイル３０とが協同して力を接続チューブ２４に加え、接続チューブ２４が実質的に軸方向に前後するように構成されるように、規定されていてもよい。
【００２３】
いくつかの実施形態によれば、上述したラウドスピーカドライバ１０は、さらに、アコースティカル振動板２０が静止しているときに実質的に平らであるように規定されている。例えば、アコースティカル振動板２０は、電気信号がラウドスピーカドライバ１０に供給されていないときに静止していてもよい。電気信号（例えばオーディオ信号）を受けたとき、振動板２０は、ラウドスピーカドライバ１０から音波が放射されるように振動することになる。いくつかの実施態様において、アコースティカル振動板２０は、円形状を有していてもよいが、別の実施態様によれば、振動板は、正方形、長方形、又は別の適切な形状であってもよい。
【００２４】
さらに、ラウドスピーカドライバ１０は、また、フレーム１２を具備している。フレーム１２は、第１磁石アセンブリ１６と第２磁石アセンブリ１８とを支持するように構成されていてもよく、これらの間に予め設定された間隔を維持するように構成されていてもよい。また、ラウドスピーカドライバ１０は、アコースティカル振動板２０のエッジをフレーム１２に接続するように構成されたサスペンション２２（例えば、リングサスペンション）を具備していてもよい。サスペンション２２は、対応する振動板２０の形状やエッジ寸法に基づいて、何らかの好適な形状を有していてもよい。また、サスペンション２２の形状は、フレーム１２の内寸法や形状に基づいていてもよい。フレーム１２は、好適には、アコースティカル振動板２０を周囲に露出する少なくとも１つの孔１４を具備している。孔１４は、フレーム１２の内側から、音を聴衆が聞くことのできる周りのエリアに、音を出すことを許容する。
【００２５】
加えて、ラウドスピーカドライバは、さらに、第１ボイスコイル２８の第１オーディオリード線が第２ボイスコイル３０の第１オーディオリード線に接続し、第１ボイスコイル２８の第２オーディオリード線が第２ボイスコイル３０の第２オーディオリード線に接続されるように規定される。この場合において、第１磁場の極は、第２磁場の極と実質的に揃うことになる。従って、第２ボイスコイル３０が引く力を加えている間、第１ボイスコイル２８は、振動板２０を押す力を加えることになる一方、第２ボイスコイル３０が押す力を加えている間、第１ボイスコイル２８は、引く力を加えることになる。この場合の力は、ボイスコイル２８及び３０が対立的に作用することなく、接続チューブ２４を同じ方向に動かす加勢的なものである。
【００２６】
他の実施形態において、第１ボイスコイル２８と第２ボイスコイル３０は、接続チューブ２４の周囲に同一方向に巻回され、第１磁場の極が実質的に第２磁場の極と反対になっていてもよい。換言すれば、Ｎ極が両者とも内側（又は外側）となりＳ極が外側（又は内側）となる。この場合、第１ボイスコイル２８と第２ボイスコイル３０は、接続チューブの周囲に逆向きに巻回されることになる。この構成でもまた、ボイスコイル２８及び３０が対立的に作用せずに接続チューブ２４を同じ方向に動かす加勢的なものとなる。
【００２７】
ここに記載したように二つの電磁構造によって、振動板２０に作用する力は、基本的には二倍になり得る。例えば、何れの電気信号においても、他方のボイスコイルが引く力を（すなわち、フレーム１２の中央から遠ざかるように）接続チューブ２４に加えている間、一方のボイスコイルは、押す力を（すなわち、フレーム１２の中央に向かい）接続チューブ２４に与える。その結果は、振動板２０の迅速な反応であり、迅速な動きである。それは、ラウドスピーカドライバ１０のダイナミックレンジを増加する。振動板が引く力と押す力の双方によって高加速で動くので、振動板は、音を生成する際により効果的に力を伝達する。すなわち、音エネルギーへの電気のパワー変換において、高効率である。また、デュアルで押したり、引いたりするボイスコイルは、ラウドスピーカドライバ１０の高周波数応答および低周波数応答の双方を拡張することが可能となる。
【００２８】
さらにまた、本開示に記載されたラウドスピーカドライバ１０の対称的な側面は、振動板２０のより好適な制御を許容し、それによって、より正確なオーディオ信号の再生をもたらす。振動板に押す力と引く力とを加えることにより、振動板の振動は、より正確に音響電気信号に追従し、従来の装置に比べ、サウンド再生のより高い鮮明度をもたらす。
【００２９】
本開示の教示や原理は、ダイナミックランジを増加したラウドスピーカを達成する種々の実施態様を構成し得る。ある実施形態において、二つの従来スピーカを開口部同士、つまり、振動板と振動板同士で接合し、二つの振動板が一斉に振動するように極を逆向きに配線してもよい。そのような実施形態において、二つの振動板は、一つの信号振動板であるかのように一斉に振動する。そのような実施態様を図３に図示する。
【００３０】
図３を参照して、スピーカアセンブリ１００は、第１及び第２スピーカ１１２−１、１１２−２を含む。第１スピーカ１１２−１は、サスペンション１２２によって、フレーム部１１３に接合されたコーン形状又は円錐台状の振動板１２０−１を有する円錐台フレーム部１１３を含む。第１スピーカ１１２−１は、さらに、上述したような磁石アセンブリ１１６とボイスコイル１２８とを含む。同様に、第２スピーカ１１２−２は、サスペンション１２２によってフレーム部１１５に接合されたコーン形状又は円錐台状の振動板１２０−２を有する円錐台フレーム部１１５と、磁石アセンブリ１１８と、ボイスコイル１３０とを含む。第１及び第２スピーカは、フレーム部１１３、１１５の広角端１１７、１１９がそれぞれ互いに対向し、その状態で振動板１２０−１、１２０−２の少なくとも一部、例えば、部位１２３が互いに接続されるように構成されている。各振動板１２０−１、１２０−２は、コーン形状又は円錐台形状を有するので、部位１２３は、円形であり、従って、振動板１２０−１、１２０−２は、円形に接続される、ということが玩味されるべきである。他の実施形態では、振動板１２０−１、１２０−２は、互いに接触していない。
【００３１】
スピーカアセンブリ１００は、さらに、オーディオ信号ドライバ１５０を含む。オーディオ信号ドライバ１５０は、正の出力部１５２と負の出力部１５４とを含むボイスコイル１２８、１３０を電気的に駆動するためのものである。例示的に、オーディオ信号ドライバは、オーディオアンプ、レシーバ、等、或いは、オーディオ信号を示す電気信号を与える他のあらゆる既知の機器を含む。各ボイスコイル１２８、１３０は、正のオーディオリード線１３２と負のオーディオリード線１３４とを含む。この実施形態において、ボイスコイル１２８、１３２は、二つの振動板が一斉に振動するように、逆向きの極に結線される。例えば、ボイスコイル１２８の正のオーディオリード線１３２−１は、ドライバ１５０の正の出力１５２に接続されている一方、ボイスコイル１３０の正のオーディオリード線１３２−２は、ドライバ１５０の負の出力１５４に接続されている。同様に、ボイスコイル１２８の負のオーディオリード線１３４−１は、ドライバ１５０の負の出力１５４に接続されている一方、ボイスコイル１３０の負のオーディオリード線１３４−２は、ドライバ１５０の正の出力１５２に接続されている。この場合において、第２ボイスコイル１３０が振動板１２０−２に対して引く力を加える間、第１ボイスコイル１２８は、振動板１２０−１に対して押す力を加えることになるとともに、第２ボイスコイル１３０が押す力を加える間、第１ボイスコイル１２８は、引く力を加えることになる。このようにして、二つの振動板１２０−１、１２０−２は、一つの信号振動板であるかのように一斉に振動する。
【００３２】
これまで図示し、記載した種々の特徴は、置換可能であり、ある実施形態に示された特徴は、別の実施形態に含み得るものである。
【００３３】
本開示は、具体的に図示された実施形態を参照して記載されてきたが、これらの実施形態は、単に本開示の原理や応用の図示に過ぎない、と理解されるべきである。従って、添付の特許請求の範囲によって規定された本開示の精神と範囲から逸脱しない範囲で、図示された実施形態に数々の変形を加えることが可能であり、別の構成を考案することが可能である。
【図１】
2014045483.tif 000003
【図２】
2014045483.tif 000004
【図３】
2014045483.tif 000005
【図４】
2014045483.tif 000006
【図５Ａ】
2014045483.tif 000007
【図５Ｂ】
2014045483.tif 000008
【図５Ｃ】
2014045483.tif 000009
【図６】
2014045483.tif 000010
【図７】
2014045483.tif 000011
【図８】
2014045483.tif 000012
【外国語明細書】
2014045483.tif 000013
2014045483.tif 000014
2014045483.tif 000015
2014045483.tif 000016
2014045483.tif 000017
2014045483.tif 000018
2014045483.tif 000019
2014045483.tif 000020
2014045483.tif 000021
2014045483.tif 000022
2014045483.tif 000023
2014045483.tif 000024
2014045483.tif 000025
2014045483.tif 000026
2014045483.tif 000027
2014045483.tif 000028
2014045483.tif 000029
2014045483.tif 000030
2014045483.tif 000031
2014045483.tif 000032
2014045483.tif 000033
2014045483.tif 000034
2014045483.tif 000035